(57)【要約】  第２の無線デバイス（１２２）に同期信号を送信するための第１の無線デバイス（１２０）によって遂行される方法。第１の無線デバイス（１２０）および第２の無線デバイス（１２２）は、無線通信ネットワーク（１００）において動作する。第１の無線デバイス（１２０）は、無線通信ネットワーク（１００）において動作しているネットワークノード（１１０）から、第２の無線デバイス（１２２）に同期信号を送信するためにキャリアを使用するべきか否かを指示するメッセージを受信する。さらに、第１の無線デバイス（１２０）は、受信したメッセージが指示するキャリア上で、第２の無線デバイス（１２２）に同期信号を送信する。【選択図】図２
2021519550.tif 000002
【特許請求の範囲】
【請求項１】
第２の無線デバイス（１２２）に同期信号を送信するための第１の無線デバイス（１２０）によって遂行される方法であって、前記第１の無線デバイス（１２０）および前記第２の無線デバイス（１２２）が無線通信ネットワーク（１００）において動作する方法において、
−  前記無線通信ネットワーク（１００）において動作しているネットワークノード（１１０）から、前記第２の無線デバイス（１２２）に同期信号を送信するためにキャリアを使用するべきか否かを指示するメッセージを受信すること（３０１）と、
−  前記受信されたメッセージによって指示されたキャリア上の同期信号を前記第２の無線デバイス（１２２）に送信すること（３０３）と、
を含む方法。
【請求項２】
前記メッセージを受信すること（３０１）が、
−  アグリゲートされたキャリアからの複数のキャリアを、前記第２の無線デバイス（１２２）に同期信号を送信するために使用するべきか否かを指示する前記メッセージを受信することをさらに含み、前記方法が、
−  同期信号を送信するための１つまたは複数の基準が満たされているか否かを判定すること（３０２）をさらに含み、前記受信されたメッセージが指示する前記キャリア上で前記同期信号を送信すること（３０３）が、
−  前記１つまたは複数の基準を満たす前記アグリゲートされたキャリアからの１つまたは複数のキャリア上で前記同期信号を送信することを含む、請求項１に記載の方法。
【請求項３】
前記１つまたは複数の基準が、
−  前記第１の無線デバイス（１２０）の送信能力、
−  前記第１の無線デバイス（１２０）がキャリアアグリゲーション（ＣＡ）送信モードで動作しているか否かということ、
−  前記第２の無線デバイス（１２２）に提供されるサービスの要件、
−  閾値に対する参照信号受信電力（ＲＳＲＰ）の値、
−  前記第２の無線デバイス（１２２）に提供されるサービスの識別情報が前記１つまたは複数のキャリアに関連づけられていること、
−  前記第２の無線デバイス（１２２）の識別情報、および
−  ある特定のサービスのために使用され得るキャリアの組合せ、
のうちの１つまたは複数に関するものである、請求項２に記載の方法。
【請求項４】
前記第１の無線デバイス（１２０）が、前記第２の無線デバイス（１２２）に同期信号を送信するために使用され得る１つまたは複数のキャリアとともに事前設定されている、請求項１から３のいずれか一項に記載の方法。
【請求項５】
第２の無線デバイス（１２２）に同期信号を送信する第１の無線デバイス（１２０）を制御するためのネットワークノード（１１０）によって遂行される方法であって、前記ネットワークノード（１１０）、ならびに前記第１の無線デバイス（１２０）および前記第２の無線デバイス（１２２）が無線通信ネットワーク（１００）において動作する方法において、
前記第１の無線デバイス（１２０）に、前記第２の無線デバイス（１２２）に同期信号を送信するためにキャリアを使用するべきか否かを指示するメッセージを送信すること（５０１）を含む方法。
【請求項６】
前記メッセージを送信すること（５０１）が、
−  アグリゲートされたキャリアからの複数のキャリアを、前記第２の無線デバイス（１２２）に同期信号を送信するために前記第１の無線デバイス（１２０）によって使用するべきか否かを指示する前記メッセージを送信することをさらに含む、請求項５に記載の方法。
【請求項７】
第２の無線デバイス（１２２）に同期信号を送信するための第１の無線デバイス（１２０）であって、前記第１の無線デバイス（１２０）および前記第２の無線デバイス（１２２）が無線通信ネットワーク（１００）において動作するように設定されている第１の無線デバイス（１２０）において、
−  前記無線通信ネットワーク（１００）において動作しているネットワークノード（１１０）から、前記第２の無線デバイス（１２２）に同期信号を送信するためにキャリアを使用するべきか否かを指示するメッセージを受信して、
−  前記受信されたメッセージによって指示されたキャリア上で同期信号を前記第２の無線デバイス（１２２）に送信するように設定されている第１の無線デバイス（１２０）。
【請求項８】
−  アグリゲートされたキャリアからの複数のキャリアを、前記第２の無線デバイス（１２２）に同期信号を送信するために使用するべきか否かを指示する前記メッセージを受信し、
−  同期信号を送信するための１つまたは複数の基準が満たされているか否かを判定して、
−  前記１つまたは複数の基準を満たす前記アグリゲートされたキャリアからの１つまたは複数のキャリア上で前記同期信号を送信するようにさらに設定されている、請求項７に記載の第１の無線デバイス（１２０）。
【請求項９】
前記１つまたは複数の基準が、
−  前記第１の無線デバイス（１２０）の送信能力、
−  前記第１の無線デバイス（１２０）がキャリアアグリゲーション（ＣＡ）送信モードで動作しているか否かということ、
−  前記第２の無線デバイス（１２２）に提供されるサービスの要件、
−  閾値に対する参照信号受信電力（ＲＳＲＰ）の値、
−  前記第２の無線デバイス（１２２）に提供されるサービスの識別情報が前記１つまたは複数のキャリアに関連づけられていること、
−  前記第２の無線デバイス（１２２）の識別情報、および
−  ある特定のサービスのために使用され得るキャリアの組合せ、
のうちの１つまたは複数に関するものである、請求項８に記載の第１の無線デバイス（１２０）。
【請求項１０】
前記第２の無線デバイス（１２２）に同期信号を送信するために使用され得る１つまたは複数のキャリアとともにさらに事前設定されている、請求項７から９のいずれか一項に記載の第１の無線デバイス（１２０）。
【請求項１１】
第２の無線デバイス（１２２）に同期信号を送信する第１の無線デバイス（１２０）を制御するためのネットワークノード（１１０）であって、前記ネットワークノード（１１０）ならびに前記第１の無線デバイス（１２０）および前記第２の無線デバイス（１２２）が無線通信ネットワーク（１００）において動作するように設定されているネットワークノード（１１０）において、
−  前記第１の無線デバイス（１２０）に、前記第２の無線デバイス（１２２）に同期信号を送信するためにキャリアを使用するべきか否かを指示するメッセージを送信するように設定されているネットワークノード（１１０）。
【請求項１２】
−  アグリゲートされたキャリアからの複数のキャリアを、前記第２の無線デバイス（１２２）に同期信号を送信するために前記第１の無線デバイス（１２０）によって使用するべきか否かを指示する前記メッセージを送信するようにさらに設定されている、請求項１１に記載のネットワークノードノード（１１０）。
【請求項１３】
少なくとも１つのプロセッサによって実行されたとき、前記少なくとも１つのプロセッサに、請求項１から６のいずれか一項に記載の方法を遂行させる命令を含んでいるコンピュータプログラム。
【請求項１４】
請求項１３に記載のコンピュータプログラムを含むキャリアであって、電子信号、光信号、無線信号、またはコンピュータ可読記憶媒体のうちの１つであるキャリア。
【発明の詳細な説明】
【技術分野】
【０００１】
本明細書の実施形態は、無線デバイス、ネットワークノード、およびこれらにおける方法に関するものである。いくつかの態様では、これらは、別の無線デバイスへの同期信号の送信に関する。
【背景技術】
【０００２】
一般的な無線通信ネットワークでは、無線通信デバイス、移動局、局（ＳＴＡ）および／またはユーザ機器（ＵＥ）としても知られている無線デバイスは、Ｗｉ−Ｆｉネットワークまたは無線アクセスネットワーク（ＲＡＮ）などのローカルエリアネットワークを通じて１つまたは複数のコアネットワーク（ＣＮ）と通信する。ＲＡＮがカバーする地理的エリアは、ビームまたはビームグループとも称され得るサービスエリアまたはセルエリアに分割され得、それぞれのサービスエリアまたはセルエリアが、たとえばいくつかのネットワークではたとえばＮｏｄｅＢ、ｅＮｏｄｅＢ（ｅＮＢ）、または５ＧではｇＮＢとも表され得るＷｉ−Ｆｉアクセスポイントもしくは無線基地局（ＲＢＳ）といった無線アクセスノードなどの無線ネットワークノードによってサーブされている。サービスエリアまたはセルエリアは、無線ネットワークノードによって無線カバレッジが提供される地理的エリアである。無線ネットワークノードは、無線ネットワークノードの範囲内の無線デバイスを用いて、無線周波上で動作するエアインターフェースを通じて通信する。
【０００３】
第４世代（４Ｇ）ネットワークとも称されるエボルブドパケットシステム（ＥＰＳ）の規格は第３世代パートナーシッププロジェクト（３ＧＰＰ）の範囲内で完結しており、この業務は、たとえば５Ｇ新無線（ＮＲ）とも呼ばれる第５世代（５Ｇ）ネットワークを規定するために、次の３ＧＰＰのリリースにおいて継続する。ＥＰＳは、Ｌｏｎｇ  Ｔｅｒｍ  Ｅｖｏｌｕｔｉｏｎ（ＬＴＥ）無線アクセスネットワークとしても知られているエボルブドユニバーサル地上波無線アクセスネットワーク（Ｅ−ＵＴＲＡＮ）と、システムアーキテクチャエボリューション（ＳＡＥ）コアネットワークとしても知られているエボルブドパケットコア（ＥＰＣ）とを備える。３ＧＰＰ無線アクセスネットワークの変形形態であるＥ−ＵＴＲＡＮ／ＬＴＥでは、無線ネットワークノードが、３Ｇネットワークにおいて使用されるＲＮＣではなくＥＰＣコアネットワークに直接接続される。一般に、Ｅ−ＵＴＲＡＮ／ＬＴＥでは、３Ｇ  ＲＮＣの機能は、たとえばＬＴＥにおけるｅＮｏｄｅＢといった無線ネットワークノードとコアネットワークとの間に分散している。そのため、ＥＰＳのＲＡＮは、１つまたは複数のコアネットワークに直接接続された無線ネットワークノードを備える基本的に「フラットな」アーキテクチャを有し、すなわちＲＮＣには接続されない。これを補償するために、Ｅ−ＵＴＲＡＮ規格は、Ｘ２インターフェースと表されている、無線ネットワークノード間の直接インターフェースを規定する。
【０００４】
マルチアンテナ技術は、無線通信システムのデータレートおよび信頼性を大幅に向上することができる。送信器と受信器の両方が、多入力多出力（ＭＩＭＯ）通信チャネルをもたらす複数のアンテナを装備していれば、性能が特に改善される。そのようなシステムおよび／または関連技術は、一般にＭＩＭＯと称される。
【０００５】
５Ｇ計画は、より高速のピークインターネット接続速度に加えて、現行の４Ｇよりも大きい容量で、エリアユニットごとにより多数のモバイルブロードバンドユーザを許容し、ユーザごとに、１か月当たりユーザごとのギガバイト単位で、より大きいかまたは無制限のデータ量の消費を可能にすることを目指すものである。これによって、Ｗｉ−Ｆｉホットスポットの届かない距離にいる人々の大部分が、自分のモバイルデバイスで、高精細度メディアに１日当たり長時間ストリーミングすることが可能になるはずである。５Ｇの研究開発は、４Ｇ機器よりも低コスト、より少ないバッテリ消費およびより低いレイテンシを目指して、モノのインターネットとしても知られているマシンツーマシン通信のサポートを改善することも目指している。
【０００６】
リリース１４において、車車間−路車間（Ｖ２Ｘ）通信に対するサポートがＬＴＥ仕様に導入された。Ｖ２Ｘは、車両と歩行者およびインフラストラクチュアとの間の直接通信のあらゆる組合せを含む集合語である。Ｖ２Ｘ通信は、利用可能であるときにはネットワーク（ＮＷ）インフラストラクチュアを利用し得るが、ネットワークカバレッジが欠如している場合にも、少なくとも基本的Ｖ２Ｘ接続性が可能であるべきである。ＬＴＥベースのＶ２Ｘインターフェースを用意することは、専用のＶ２Ｘ技術を使用するのと比較して、ＬＴＥ規模の経済性のために経済的に有利であり得、また、たとえば路車間（Ｖ２Ｉ）通信、車人間（Ｖ２Ｐ）通信、および車車間（Ｖ２Ｖ）通信により、ＮＷインフラストラクチュアを用いる通信の間のより緊密な統合が可能になり得る。
【０００７】
Ｖ２Ｘ通信は非安全情報と安全情報の両方を搬送し得、アプリケーションおよびサービスの各々が、たとえばレイテンシ、信頼性、容量などの観点から、特定の要件セットに関連づけられ得る。
【０００８】
図１は、ＬＴＥベースＮＷに関するＶ２Ｘシナリオを概略的に図示するものであり、自動車と無線デバイスのユーザとの間、ユーザの無線デバイスとトラックとの間、自動車の無線デバイスとバスとの間、およびトラックの無線デバイスとバスとの間のデバイス対デバイス（Ｄ２Ｄ）通信が例示されている。
【０００９】
キャリアアグリゲーション
３ＧＰＰは、リリース１４において最初に導入されたＬＴＥ  Ｖ２Ｘ機能性に対する拡張機能について論じている。そのような拡張機能の１つには、複数のキャリアにわたる同時送信を遂行することから成るキャリアアグリゲーション（ＣＡ）の機能性がある。ＣＡを使用すると、たとえば同一のパケットを複数のキャリアにわたって送信することにより、より大きいパケットを送信すること、より高い通信速度（ビット／秒）を達成すること、または通信システムの信頼性を高めることが可能になる。複数のキャリアにわたる送信は、同一の時点、または異なる時点（通常は数ミリ秒だけ分離される）において起こり得る。
【００１０】
電気通信において、キャリアは、情報を伝達するために入力信号で変調された（たとえば変更された）波形、通常は正弦波、である。キャリアという用語は、搬送波や搬送波信号と区別なく使用され得る。
【００１１】
同期手順
リリース１５では、Ｖ２Ｘサイドリンク（ＳＬ）通信が可能な無線デバイスは、ある特定のルールおよびＳＬ  ＭＩＢ（マスタ情報ブロック）に準拠してＳＬ同期信号（ＳＬＳＳ）を送信するべきか否かを判定するべきである。そのようなルールは、通信ネットワークによって設定されるかまたは事前設定されていてもよい、ある特定のパラメータに依拠する。さらに、そのようなルールは、無線デバイスの状態が、ＲＲＣ接続モード、アイドルモード、カバレッジ内、またはカバレッジ外であるかどうかということに依拠し得る。「Ｖ２Ｘサイドリンク通信」という表現は、本開示で使用されたとき、車両の無線デバイスと、無線ネットワークノードではないｅＮＢまたは基地局などの別の無線デバイスとの間の通信を意味する。
【００１２】
たとえば、ＲＲＣ接続モードの無線デバイスに対して、たとえばｅＮＢなどのネットワークノードといったネットワークは、無線デバイスがＳＬ周波数（複数可）すなわちＳＬキャリア周波数（複数可）上でＳＬＳＳおよびＳＬ  ＭＩＢを送信するべきか否かを指示する、ネットワーク制御された同期送信パラメータｎｅｔｗｏｒｋＣｏｎｔｒｏｌｌｅｄＳｙｎｃＴｘなどのパラメータを指示してよい。
【００１３】
他方では、無線デバイスがアイドルモードにある場合には、ネットワークはＲＳＲＰ測定値に対する閾値も指示し得、その結果、無線デバイスがキャンプしているセルから測定されたＲＳＲＰがそのような閾値未満であれば、無線デバイスはＳＬＳＳおよびＳＬ  ＭＩＢを送信するものとする。これは、この無線デバイスがセルエッジにあり、周辺には、サービングｅＮＢのカバレッジ外にあって、サービングｅＮＢのカバレッジ内の無線デバイスによって転送されるＳＬＳＳから利益を得るはずの他の無線デバイスがあり得るためである。
【００１４】
同様に、無線デバイスが、サイドリンクを通じて、周辺で動作している他の無線デバイスからのサイドリンク参照信号受信電力（Ｓ−ＲＳＲＰ）を測定するとき、カバレッジ外の無線デバイスに対して使用されるべき別のＲＳＲＰ閾値がある。Ｓ−ＲＳＲＰは３ＧＰＰの規格文書ＴＳ  ３６．２１４に規定されている。無線デバイスは、Ｓ−ＲＳＲＰがそのような閾値未満であればＳＬＳＳを送信し、そうでなければＳＬＳＳを送信するべきではなく、すなわち、優れた無線品質のＳＬＳＳを提供する他の無線デバイスが周辺にあると想定されている。
【００１５】
ＣＡに関して、３ＧＰＰはＣＡ同期のためのフレームワークについて最近合意した。これによれば、キャリアのセットがアグリゲートされ得るのは時間的に同期する場合に限られる。
【発明の概要】
【００１６】
本開示では、「ＳＬＳＳの送信」または「ＳＬＳＳ送信」は、通常ＳＬＳＳおよびＳＬ  ＭＩＢの送信を指す。さらに、本開示では、「ＳＬＳＳ」、「ＳＬＳＳ送信」および「同期信号」という用語は区別なく使用される。
【００１７】
本明細書の実施形態の発現の一部分として、最初に問題を識別して論じる。
【００１８】
ＣＡの場合のＳＬＳＳ送信については２つの可能なシナリオがある。
【００１９】
第１のシナリオによれば、ＳＬＳＳは、レガシーリリース１４の手順に準拠して、すべてのアグリゲートされたキャリア上で送信される。
【００２０】
第２のシナリオによれば、ＳＬＳＳは、アグリゲートされたキャリアからの、同期キャリアと称されるたった１つのキャリア上で送信される。
【００２１】
第１のシナリオには、ＵＥが電力制限され、同時に送信される同期信号すなわちＳＬＳＳの各々の送信電力が低減されるという問題がある。それに加えて、不連続のリソース上で同時送信すると、内部変調積などのために、最大の電力低減（ＭＰＲ）も増加してしまう可能性がある。同一の送信電力を維持するための解決策の１つには、各キャリアのＳＬＳＳを異なる時間に、すなわち別々のサブフレームで送信するものがある。しかし、そのような手法は半二重の問題をもたらし、利用可能な無線リソースの数が減少させて、通信システムの性能に影響を与える可能性がある。
【００２２】
第２のシナリオには、ＳＬＳＳが同期キャリア上でのみ送信されるので、残りのキャリアには同期基準がなく、レガシー無線デバイスに問題が生じるという問題がある。すなわち、キャリアのうち１つで動作しているリリース１４の無線デバイスはＳＬＳＳを受信し得ず、タイミングを異なって解釈する恐れがある。キャリアが、同期基準に関してｅＮＢを最優先するように（事前）設定されていると、同期基準が地球航法衛星システム（ＧＮＳＳ）信号から直接導出され得る場合とは対照的に、カバレッジ外の無線デバイスには、ＳＬＳＳによる以外には正確な同期基準を取得するための手段がないため、この問題は深刻になる。
【００２３】
ＣＡのための上記の設定に加えて、単一キャリアの送信のみを遂行する無線デバイスは、リリース１４において指定されたレガシー手順に常に従ってＳＬＳＳを送信することが重要である。
【００２４】
しかしながら、現在の、すなわちリリース１４のＬＴＥには、同期信号すなわち物理的サイドリンクブロードキャストチャネル（ＰＳＢＣＨ）上で送信されるＳＬＳＳの送信を、単一キャリア上に、またはＣＡの場合にはいくつかのキャリア上に、限定することができるシグナリング手順がない。その上に、ＣＡの場合と単一キャリア送信すなわち非ＣＡの場合では、キャリア上で同期信号を送信するための条件が異なり得るのが望ましい。
【００２５】
それ故に、本明細書の実施形態の目的は、無線通信ネットワークの性能を改善することである。
【００２６】
本明細書の実施形態の一態様によれば、この目的は、第２の無線デバイスに同期信号を送信するための第１の無線デバイスによって遂行される方法によって達成される。第１の無線デバイスおよび第２の無線デバイスは無線通信ネットワークにおいて動作する。
【００２７】
第１の無線デバイスは、無線通信ネットワークにおいて動作しているネットワークノードから、第２の無線デバイスに同期信号を送信するためにキャリアを使用するべきか否かを指示するメッセージを受信する。
【００２８】
さらに、第１の無線デバイスは、受信したメッセージが指示するキャリア上で、第２の無線デバイスに同期信号を送信する。
【００２９】
本明細書の実施形態の別の態様によれば、この目的は、第２の無線デバイスに同期信号を送信するための第１の無線デバイスによって達成される。第１の無線デバイスおよび第２の無線デバイスは、無線通信ネットワークにおいて動作するように設定されている。
【００３０】
第１の無線デバイスは、無線通信ネットワークにおいて動作しているネットワークノードから、第２の無線デバイスに同期信号を送信するためにキャリアを使用するべきか否かを指示するメッセージを受信するように設定されている。
【００３１】
さらに、第１の無線デバイスは、受信したメッセージが指示するキャリア上で、第２の無線デバイスに同期信号を送信するように設定されている。
【００３２】
本明細書の実施形態の別の態様によれば、この目的は、第２の無線デバイスに同期信号を送信する第１の無線デバイスを制御するためのネットワークノードによって遂行される方法によって達成される。ネットワークノードならびに第１の無線デバイスおよび第２の無線デバイスは、無線通信ネットワークにおいて動作する。
【００３３】
ネットワークノードは、第１の無線デバイスに、第２の無線デバイスに同期信号を送信するためにキャリアを使用するべきか否かを指示するメッセージを送信する。
【００３４】
本明細書の実施形態の別の態様によれば、この目的は、第２の無線デバイスに同期信号を送信する第１の無線デバイスを制御するためのネットワークノードによって達成される。ネットワークノードならびに第１の無線デバイスおよび第２の無線デバイスは、無線通信ネットワークにおいて動作するように設定されている。
【００３５】
ネットワークノードは、第１の無線デバイスに、第２の無線デバイスに同期信号を送信するためにキャリアを使用するべきか否かを指示するメッセージを送信するように設定されている。
【００３６】
本明細書の実施形態の別の態様によれば、この目的は、命令を含むコンピュータプログラムによって達成され、これらの命令は、無線デバイスの少なくとも１つのプロセッサによって実行されたとき、無線デバイスの少なくとも１つのプロセッサに本明細書で説明されたアクションのうちの１つまたは複数を遂行させる。
【００３７】
本明細書の実施形態の別の態様によれば、この目的は、命令を含むコンピュータプログラムによって達成され、これらの命令は、ネットワークノードの少なくとも１つのプロセッサによって実行されたとき、ネットワークノードの少なくとも１つのプロセッサに本明細書で説明されたアクションのうちの１つまたは複数を遂行させる。
【００３８】
本明細書の実施形態の別の態様によれば、この目的は、キャリア、それぞれのコンピュータプログラムを含むコンピュータプログラムキャリアによって達成され、キャリアは、電子信号、光信号、電磁気信号、磁気信号、電気信号、無線信号、マイクロ波信号、またはコンピュータ可読記憶媒体のうちの１つである。
【００３９】
無線デバイスが、ネットワークノードから、第２の無線デバイスに同期信号を送信するためにキャリアを使用するべきか否かを指示するメッセージを受信し、第１の無線デバイスが、受信したメッセージが指示するキャリア上で同期信号を第２の無線デバイスに送信するので、ネットワークノードは、同期信号を送信するためにどのキャリアを使用するべきかを制御する。これによって、単一キャリア上で、またはキャリアアグリゲーションの場合にはいくつかのキャリア上で、同期信号を送信する回数が制限され得る。このことは無線通信ネットワークの性能を改善する。
【００４０】
本明細書で開示された実施形態には、同期エラーが低減されるばかりでなく、同期信号を同時送信する回数も制限されるという利点がある。さらに、本明細書で開示された実施形態により、たとえばＣＡなしのレガシー手順によって動作する無線デバイスとの下位互換性が保証される。
【００４１】
本明細書の実施形態の例が、添付図を参照しながら、より詳細に説明される。
【図面の簡単な説明】
【００４２】
【図１】ＬＴＥベースの通信ネットワークに関するＶ２Ｘシナリオを図示する概略図である。
【図２】無線通信ネットワークの実施形態を図示する概略ブロック図である。
【図３】無線デバイスにおける方法の実施形態を表現する流れ図である。
【図４】無線デバイスの実施形態を図示する概略ブロック図である。
【図５】ネットワークノードにおける方法の実施形態を表現する流れ図である。
【図６】ネットワークノードの実施形態を図示する概略ブロック図である。
【図７】中間ネットワークを介してホストコンピュータに接続された電気通信ネットワークの概略図である。
【図８】部分的無線接続によって、基地局を通じてユーザ機器と通信するホストコンピュータの一般化されたブロック図である。
【図９】ホストコンピュータ、基地局およびユーザ機器を含む通信システムにおいて実施される方法の流れ図である。
【図１０】ホストコンピュータ、基地局およびユーザ機器を含む通信システムにおいて実施される方法の流れ図である。
【図１１】ホストコンピュータ、基地局およびユーザ機器を含む通信システムにおいて実施される方法の流れ図である。
【図１２】ホストコンピュータ、基地局およびユーザ機器を含む通信システムにおいて実施される方法の流れ図である。
【発明を実施するための形態】
【００４３】
本明細書の実施形態は、キャリアアグリゲーション、ＰＨＹレイヤ、サイドリンク（ＳＬ）、高度道路交通システム（ＩＴＳ）に関係するものである。
【００４４】
本明細書で開示されるいくつかの実施形態は、それぞれ、送信能力に限りのある無線デバイスを用いるＣＡの場合、および単一キャリア送信の場合（すなわち非ＣＡの場合）に、特定のキャリア上でのＳＬＳＳ送信のオン／オフを切り換えるために必要なシグナリングを規定するものである。したがって、本明細書で開示されるいくつかの実施形態は、無線デバイスの送信能力に依拠して、特定のキャリア上のＳＬＳＳ送信のオン／オフを切り換えるためのシグナリングを規定するものである。本明細書で開示される実施形態によれば、キャリアすなわち特定のキャリア上でＳＬＳＳ送信を開始する新規のシグナリング条件が規定される。
【００４５】
その上、いくつかの実施形態は、キャリアアグリゲーションの場合にコンポーネントキャリア上での同期信号（すなわちＳＬＳＳ）の送信を裁定するための１つまたは複数の基準またはルールも規定する。
【００４６】
本明細書のいくつかの実施形態は、キャリアアグリゲーションを遂行している無線デバイスによってＳＬＳＳ（ＳＬ  ＭＩＢを含む）を送信するために使用されるルール、手順、および信号を含む。実施形態によれば、無線デバイスがキャリアアグリゲーションモードで動作しているか否かが識別され、それに応じてＳＬＳＳの送信が適合される。このようにして、無線デバイスがキャリアをアグリゲートしていない場合の下位互換性の挙動を保証しながら、複数のキャリアに関する最適化が達成され得る。
【００４７】
本明細書の実施形態は、一般に無線通信ネットワークに関するものである。図２は、無線通信ネットワークと称されることもある無線通信ネットワーク１００を表す図式的概観である。無線通信ネットワーク１００は１つまたは複数のＲＡＮおよび１つまたは複数のＣＮを含む。無線通信ネットワーク１００は、少し可能な実装を挙げるだけでも、狭帯域のモノのインターネット（ＮＢ−ＩｏＴ）、ＣＡＴ−Ｍ、Ｗｉ−Ｆｉ、拡張マシンタイプ通信（ｅＭＴＣ）、Ｌｏｎｇ  Ｔｅｒｍ  Ｅｖｏｌｕｔｉｏｎ（ＬＴＥ）、ＬＴＥ−Ａｄｖａｎｃｅｄ、５Ｇ、新無線（ＮＲ）、広帯域符号分割多元接続（ＷＣＤＭＡ）、汎欧州デジタル移動電話方式／ＧＳＭエボリューション用拡張データレート（ＧＳＭ／ＥＤＧＥ）、マイクロ波アクセスのための世界的相互運用性（ＷｉＭａｘ）、またはウルトラモバイルブロードバンド（ＵＭＢ）など、複数の異なる技術を使用し得る。
【００４８】
第１の無線デバイス１２０および１つまたは複数の第２の無線デバイス１２２は、無線通信ネットワーク１００において動作する。第１の無線デバイス１２０および第２の無線デバイス１２２は、第１のＵＥ１２０および第２のＵＥ１２２と称されることがあり、単に無線デバイス１２０、１２２と称されることもある。たとえば、第１の無線デバイス１２０と第２の無線デバイス１２０は、互いにＤ２Ｄ通信を提供するように設定されている。さらに、第１の無線デバイス１２０および第２の無線デバイス１２２は、ユーザによって携帯されてよく、または、Ｖ２Ｘ通信をもたらすために、任意のタイプの車両に配置されてもよい。その上、無線デバイス１２０、１２２はＣＡ送信モードで動作することができる。
【００４９】
無線デバイス１２０、１２２は、それぞれが、たとえば移動局、非アクセスポイント（非ＡＰ）ＳＴＡ、ＳＴＡ、ユーザ機器および／または無線端末、ＮＢ−ＩｏＴデバイス、ｅＭＴＣデバイスおよびＣＡＴ−Ｍデバイス、Ｗｉ−Ｆｉデバイス、たとえばＲＡＮといった１つまたは複数のアクセスネットワーク（ＡＮ）を通じて１つまたは複数のコアネットワーク（ＣＮ）と通信するＬＴＥデバイスおよびＮＲデバイスでよい。「無線デバイス」は、任意の端末、無線通信端末、ユーザ機器、デバイスツーデバイス（Ｄ２Ｄ）端末、またはたとえばスマートフォン、ラップトップコンピュータ、携帯電話、センサ、中継器、モバイルタブレット、さらにはセルの内部で通信する小さな基地局といったノードを意味する非限定的な用語であることが当業者には理解されるはずである。
【００５０】
無線通信ネットワーク１００において動作する、第１のネットワークノード１１０とも称されるネットワークノード１１０などのネットワークノードは、５Ｇ、ＬＴＥ、Ｗｉ−Ｆｉ、ＮＢ−ＩｏＴ、ＣＡＴ−Ｍ、Ｗｉ−Ｆｉ、ｅＭＴＣまたは類似のものなどの第１の無線アクセス技術（ＲＡＴ）のビームまたはビームグループとも称され得るサービスエリア１１である地理的エリアにわたって無線カバレッジを提供する。ネットワークノード１１０は、たとえば無線ローカルエリアネットワーク（ＷＬＡＮ）アクセスポイントまたはアクセスポイント局（ＡＰ  ＳＴＡ）、アクセスコントローラなどの無線アクセスネットワークノードといった送信および受信のポイント、たとえばＮｏｄｅＢ、エボルブドノードＢ（ｅＮＢ、ｅＮｏｄｅ  Ｂ）、ｇＮＢ、ベーストランシーバ局、無線遠隔ユニット、アクセスポイント基地局、基地局ルータ、無線基地局の送信機構、スタンドアロンのアクセスポイントなどの無線基地局といった基地局、あるいはたとえば使用される無線アクセス技術および技術用語に依拠してネットワークノード１１０によってサーブされているサービスエリアの範囲内の無線デバイスと通信することができる任意の他のネットワークユニットでよい。ネットワークノード１１０は、サービング無線ネットワークノードと称されることもあり、無線デバイス１２０、１２２へのダウンリンク（ＤＬ）送信および無線デバイス１２０、１２２からのアップリンク（ＵＬ）送信を用いて無線デバイス１２０、１２２と通信する。
【００５１】
さらなるネットワークノードは、第２のネットワークノード１３０とも称されるネットワークノード１３０などの無線通信ネットワーク１００において動作する。ネットワークノード１３０は、ＬＴＥアクセスネットワーク、サービングゲートウェイ（ＳＧＷ）、およびパケットデータネットワークゲートウェイ（ＰＧＷ）の制御ノードであるＭＭＥでよい。ＭＭＥは、とりわけ、再送信を含むトラッキングおよびページングの手順を担う。
【００５２】
本明細書で説明されるアクションは、たとえばｅＮＢなどのネットワークノード１１０のうち任意のもの、またはたとえばＭＭＥなどのネットワークノード１３０によって遂行され得る。したがって、本明細書の実施形態による方法は、ネットワークノード１１０、１３０と称されるネットワークノードによって遂行され得る。
【００５３】
たとえば無線通信ネットワーク１１０において同期信号を送信するための方法は、無線デバイス１２０、１２２によって遂行される。代替形態として、たとえば図２に示されるようなクラウド１４０に含まれる分散形ノード（ＤＮ）と機能性とが、この方法を遂行するかまたは部分的に遂行するために使用され得る。
【００５４】
本明細書のいくつかの実施形態のアクション
たとえば第２の無線デバイス１２２に同期信号を送信するための第１の無線デバイス１２０によって遂行される方法の実施形態を表す流れ図の例示の実施形態が図３に表されており、以下でより詳細に説明される。
【００５５】
前述のように、第１の無線デバイス１２０および第２の無線デバイス１２２は、単一キャリアまたはアグリゲートされたキャリア上で信号を送信することができる。本明細書のいくつかの実施形態は、サイドリンクキャリアアグリゲーション（ＳＬ  ＣＡ）用の同期信号を送信するためのシグナリングの手順およびルールに関するものである。
【００５６】
さらに、以前にも言及されたように、第１の無線デバイス１２０および第２の無線デバイス１２２は無線通信ネットワーク１００において動作している。この方法は、任意の適切な順番で採用され得る以下のアクションのうちの１つまたは複数を含み得る。さらに、１つまたは複数のアクションは任意選択でよく、アクションは組み合わされ得る。
【００５７】
アクション３０１において、第１の無線デバイス１２０は、たとえばｅＮＢなどのネットワークノード１１０から、同期信号を第２の無線デバイス１２２に送信するためにキャリア、すなわち単一キャリアあるいは１つまたは複数のアグリゲートされたキャリアを使用するべきか否かを指示する信号またはメッセージを受信する。
【００５８】
したがって、無線デバイス１２０は、ネットワークノード１１０から、第２の無線デバイス１２２に同期信号を送信するためにキャリアを使用するべきか否かを指示するメッセージを受信し得る。以下で説明されるように、メッセージは、メッセージが含む、同期信号を送信するためにキャリアを使用するべきか否かを指示するパラメータによって、キャリアを使用するべきか否かを指示し得る。パラメータは、特定のキャリアにおける同期信号の送信が許可されるか否かを指示するブール型のパラメータでよい。メッセージは、キャリアの総数からの１つまたは複数のキャリアが同期信号を送信するために利用可能か否かを指示し得ることを理解されたい。したがって、メッセージはたとえば１つのキャリアごとに１つのパラメータとして複数のパラメータを含み得、各パラメータが、これに関連づけられたキャリアを同期信号の送信に使用するべきか否かを指示してよい。さらに、メッセージが、同期信号を送信するために使用されるキャリアを指示することは、メッセージに含まれた１つまたは複数のパラメータの各々が、同期信号の送信に使用されるキャリアを指示する直接指示を与えてよく、または同期信号の送信に使用されないキャリアを指示する間接指示を与えてもよいことを意味する。このパラメータは、本開示ではｃａｒｒｉｅｒＡｇｇｒｅｇａｔｉｏｎＳｙｎｃＴｘパラメータと称され得るが、他の用語がこのパラメータのために使用される可能性があることを理解されたい。ｃａｒｒｉｅｒＡｇｇｒｅｇａｔｉｏｎＳｙｎｃＴＸパラメータは、同期信号を送信するためにキャリアを使用するべきか否かを指示するものである。しかしながら、前述のように、メッセージは、たとえば同期信号（複数可）の送信に使用されない１つまたは複数のキャリアを指示することによって、使用されるキャリアを間接的に指示する１つまたは複数のパラメータを含み得る。そのようなパラメータの一例には、同期信号の送信が禁止されるキャリアを指示するｓｌｓｓ−ＴｘＤｉｓａｂｌｅｄパラメータがある。メッセージの中に、キャリアについて、たとえばｓｌｓｓ−ＴｘＤｉｓａｂｌｅｄパラメータといったパラメータが含まれていなければ、このキャリアでの同期信号の送信が許容されることが暗示的に指示され得る。
【００５９】
いくつかの実施形態では、第１の無線デバイス１２０は、第２の無線デバイス１２２に同期信号を送信するために、単一キャリアあるいは１つまたは複数のアグリゲートされたキャリアを使用するべきか否かを指示する指示で、事前設定されている。言い換えれば、第１の無線デバイス１２０は、第２の無線デバイス１２２に同期信号を送信するために使用され得る単一キャリアを指示する指示で事前設定されていてよく、または無線デバイス１２０は、第２の無線デバイス１２２に同期信号を送信するために使用され得る１つまたは複数のアグリゲートされたキャリアを指示する指示で事前設定されていてもよい。したがって、第１の無線デバイス１２０は、第２の無線デバイス１２２に同期信号を送信するために使用され得る１つまたは複数のキャリアとともに事前設定されていてよい。
【００６０】
同期信号はＳＬＳＳ送信でよい。本開示では、「同期信号」、「ＳＬＳＳ送信」という用語は区別なく使用される。前述のように、ＳＬＳＳ送信はＳＬＳＳおよびＳＬ  ＭＩＢの送信を含む。
【００６１】
いくつかの実施形態では、第１の無線デバイスは、アグリゲートされたキャリアからの複数のキャリアを、第２の無線デバイス１２２に同期信号を送信するために使用するべきか否かを指示するメッセージを受信する。したがって、メッセージは、たとえばキャリアアグリゲーションの場合の複数のコンポーネントキャリアといった複数のキャリアを、同期信号を送信するために使用するべきか否かを指示し得る。１つの同期信号を送信するために、それぞれの指示されたキャリアが使用されることを理解されたい。
【００６２】
アクション３０２において、第１の無線デバイス１２０は、１つまたは複数の基準またはルールが満たされているか否かを判定する。したがって、第１の無線デバイス１２０は、同期信号を送信するための１つまたは複数の基準が満たされているか否かを判定してよい。以下で説明されるように、１つまたは複数の基準またはルールは、
−  第１の無線デバイス１２０の送信能力、
−  第１の無線デバイス１２０がＣＡ送信モードで動作しているか否かということ、
−  第２の無線デバイス（１２２）に提供される、たとえば送信されるといったサービスの要件、のうちの１つまたは複数に関するものでよい。たとえば、提供されるＶ２Ｘサービスの要件は、
−  閾値に関連した、たとえば測定されたＲＳＲＰ値といった参照信号受信電力（ＲＳＲＰ）の値である。たとえば、アグリゲートされたキャリアの中で、各キャリアすなわち各コンポーネントキャリアについてＲＳＲＰが評価されてよい。
−  第２の無線デバイス１２２、たとえば１つまたは複数のキャリアに関連した第２の無線デバイス１２２に提供される、たとえば送信されるといったサービスの識別情報、
−  たとえば第２の無線デバイス１２２の識別情報といった同期信号の宛先の識別情報、
−  ある特定のサービスのために使用され得るキャリアの組合せ、
などがある。
【００６３】
前述のように、これらの基準またはルールは、第１の無線デバイス１２０によって、キャリアアグリゲーションモードで動作しているとき適用され得る。そのようなシナリオでは、これらの基準またはルールのうちの１つまたは複数が、１つまたは複数のアグリゲートされたキャリアすなわち１つまたは複数のコンポーネントキャリア上での同期信号すなわちＳＬＳＳの送信を制御する。
【００６４】
アクション３０３において、第１の無線デバイス１２０は、たとえば第２の無線デバイス１２２に、受信した信号もしくはメッセージまたは事前設定によって指示されたキャリア、たとえば単一キャリアまたはアグリゲートされたキャリア上で、同期信号を送信する。いくつかの実施形態では、１つまたは複数の基準またはルールが満たされたとき、第１の無線デバイス１２０は第２の無線デバイス１２２に同期信号を送信する。言い換えれば、第１の無線デバイス１２０は、アグリゲートされたキャリアからの、１つまたは複数の基準またはルールを満たす１つまたは複数の指示されたキャリア上で、第２の無線デバイス１２２に同期信号（複数可）を送信し得る。
【００６５】
第１の無線デバイス１２０は、たとえば同期信号を送信するための方法のアクションを遂行するために、図４に表された機構を備え得る。第１の無線デバイス１２０は、たとえば受信ユニット４０１、送信ユニット４０２、および判定ユニット４０３を備え得る。以前に言及されたように、第１の無線デバイス１２０および第２の無線デバイス１２２は無線通信ネットワーク１００において動作するように設定されている。
【００６６】
第１の無線デバイス１２０は、通信ネットワーク１００において動作している１つまたは複数のノードから、たとえば受信ユニット４０１によって、信号、メッセージまたは情報を受信するように設定されている。受信ユニット４０１は、第１の無線デバイス１２０のプロセッサ４０５によって実施されてよく、またはプロセッサ４０５と通信しているように構成されてもよい。プロセッサ４０５は、以下でより詳細に説明される。
【００６７】
第１の無線デバイス１２０は、たとえばｅＮＢなどのネットワークノード１１０から第２の無線デバイス１２２に同期信号を送信するためにキャリア、すなわち単一キャリアあるいは１つまたは複数のアグリゲートされたキャリアを使用するべきか否かを指示する信号またはメッセージを受信するように設定されている。
【００６８】
したがって、無線デバイス１２０は、ネットワークノード１１０から、第２の無線デバイス１２２に同期信号を送信するためにキャリアを使用するべきか否かを指示するメッセージを受信するように設定されている。
【００６９】
いくつかの実施形態では、第１の無線デバイス１２０は、アグリゲートされたキャリアからの複数のキャリアを、第２の無線デバイス１２２に同期信号を送信するために使用するべきか否かを指示するメッセージを受信するように設定されている。
【００７０】
第１の無線デバイス１２０は、たとえば送信ユニット４０２によって、通信ネットワーク１００において動作している１つまたは複数のノードに、信号、メッセージまたは情報を送信するように設定されている。送信ユニット４０２は、プロセッサ４０５によって実施されてよく、またはプロセッサ４０５と通信しているように構成されてもよい。
【００７１】
第１の無線デバイス１２０は、受信した信号またはメッセージが指示する単一キャリアあるいは１つまたは複数のアグリゲートされたキャリア上で、たとえば第２の無線デバイス１２２に同期信号を送信するように設定されている。
【００７２】
したがって、第１の無線デバイス１２０は、受信したメッセージが指示するキャリア上で、第２の無線デバイスに同期信号を送信するように設定されている。
【００７３】
いくつかの実施形態では、第１の無線デバイス１２０は、アグリゲートされたキャリアからの、１つまたは複数の基準を満たす１つまたは複数のキャリア上で、同期信号を送信するように設定されている。
【００７４】
第１の無線デバイス１２０は、同期信号を送信するための１つまたは複数の基準が満たされているか否かを、たとえば判定ユニット４０３によって判定するように設定され得る。判定ユニット４０３は、プロセッサ４０５によって実施されてよく、またはプロセッサ４０５と通信しているように構成されてもよい。
【００７５】
当業者なら、前述の第１の無線デバイス１２０内のユニットは、アナログ回路とデジタル回路の組合せ、ならびに／あるいは、たとえば第１の無線デバイス１２０に記憶されたソフトウェアおよび／またはファームウェアを用いて設定された１つまたは複数のプロセッサを指し得ることも理解するであろう。ソフトウェアおよび／またはファームウェアは、後述のプロセッサなどそれぞれの１つまたは複数のプロセッサによって実行されたとき。これらのプロセッサのうち１つまたは複数、ならびに他のデジタルハードウェアは、単一の特定用途向けの集積回路設計（ＡＳＩＣ）に含まれてよく、あるいは、いくつかのプロセッサおよび様々なデジタルハードウェアが、個々にパッケージ化されるかまたはシステムオンチップ（ＳｏＣ）へと組み立てられて、いくつかの別個の構成要素の間に分配されてもよい。
【００７６】
第１の無線デバイス１２０は、ネットワークノード１１０および第２の無線デバイス１２２と通信するように設定された入出力インターフェース４０４を備え得る。入出力インターフェースは、無線受信器（図示せず）および無線送信器（図示せず）を備え得る。
【００７７】
本明細書の実施形態は、本明細書の実施形態の機能およびアクションを遂行するためのそれぞれのコンピュータプログラムコードとともに、図４に表現された第１の無線デバイス１２０における処理サーキットリのプロセッサ４０５などそれぞれのプロセッサまたは１つまたは複数のプロセッサによって実施され得るものである。前述のプログラムコードは、たとえば第１の無線デバイス１２０にロードされたとき本明細書の実施形態を遂行するためのコンピュータプログラムコードを担持するデータキャリアの形態のコンピュータプログラム製品として提供され得る。そのようなキャリアの１つはＣＤ  ＲＯＭディスクの形態でよい。しかしながら、そのようなキャリアはメモリスティックなど他のデータキャリアで実現可能である。コンピュータプログラムコードは、さらに、サーバ上の純粋なプログラムコードとして提供され、第１の無線デバイス１２０にダウンロードされ得る。
【００７８】
第１の無線デバイス１２０は、１つまたは複数のメモリユニットを備えた記憶装置４０６をさらに備え得る。記憶装置は第１の無線デバイス１２０内のプロセッサによって実行可能な命令を含む。
【００７９】
記憶装置は、たとえばデータ、設定、および第１の無線デバイス１２０において実行されたとき本明細書の方法を遂行するアプリケーションを記憶するために使用されるように構成されている。
【００８０】
いくつかの実施形態では、それぞれのコンピュータプログラム４０７が含む命令が第１の無線デバイス１２０のそれぞれの少なくとも１つのプロセッサによって実行されたとき、上記のアクションを遂行させる。
【００８１】
いくつかの実施形態では、それぞれのキャリア４０８がそれぞれのコンピュータプログラムを含み、キャリアは、電子信号、光信号、電磁気信号、磁気信号、電気信号、無線信号、マイクロ波信号、またはコンピュータ可読記憶媒体のうち１つである。
それぞれのコンピュータプログラムを含んでいるこれらそれぞれのキャリアは、第１の無線デバイス１２０から第２の無線デバイス１２２へ同期信号を送信するために使用されるキャリアと区別するために、コンピュータプログラムキャリアと称されることがある。
【００８２】
たとえば第２の無線デバイス１２２に同期信号を送信する第１の無線デバイス１２０を制御するための、ネットワークノード１１０によって遂行される方法の実施形態を表す流れ図の例示の実施形態が図５に表されており、以下でより詳細に説明される。
【００８３】
以前に言及されたように、ネットワークノード１１０ならびに第１の無線デバイス１２０および第２の無線デバイス１２２は、無線通信ネットワーク１００において動作している。この方法は、任意の適切な順番で採用され得る以下のアクションのうちの１つまたは複数を含み得る。さらに、１つまたは複数のアクションは任意選択でよく、アクションは組み合わされ得る。
【００８４】
アクション５０１において、ネットワークノード１１０は、第１の無線デバイス１２０による第２の無線デバイス１２２への同期信号の送信に、キャリアすなわち単一キャリアあるいは１つまたは複数のアグリゲートされたキャリアを使用するべきか否かを指示する信号またはメッセージを、第１の無線デバイス１２０に送信する。
【００８５】
したがって、ネットワークノード１１０は、第１の無線デバイス１２０に、第２の無線デバイス１２２に同期信号を送信するためにキャリアを使用するべきか否かを指示するメッセージを送信してよい。
【００８６】
いくつかの実施形態では、ネットワークノード１１０は、アグリゲートされたキャリアからの複数のキャリアを、第２の無線デバイス１２２に同期信号を送信するために第１の無線デバイス１２０によって使用するべきか否かを指示するメッセージを送信する。
【００８７】
ネットワークノード１１０は、たとえば第２の無線デバイス１２２へ同期信号を送信する第１の無線デバイス１２０を制御するための方法のアクションを遂行するために、図６に表された機構を備え得る。ネットワークノード１１０は、たとえば受信ユニット６０１および送信ユニット６０２を備え得る。以前に言及されたように、ネットワークノード１１０ならびに第１の無線デバイス１２０および第２の無線デバイス１２２は、無線通信ネットワーク１００において動作するように設定されている。
【００８８】
ネットワークノード１１０は、通信ネットワーク１００において動作している１つまたは複数のノードから、たとえば受信ユニット６０１によって、信号、メッセージまたは情報を受信するように設定されている。受信ユニット６０１は、ネットワークノード１１０のプロセッサ６０４によって実施されてよく、またはプロセッサ６０４と通信しているように構成されてもよい。プロセッサ６０４は、以下でより詳細に説明される。
【００８９】
ネットワークノード１１０は、たとえば送信ユニット６０２によって、通信ネットワーク１００において動作している１つまたは複数のノードに、信号、メッセージまたは情報を送信するように設定されている。送信ユニット６０２は、プロセッサ６０４によって実施されてよく、またはプロセッサ６０４と通信しているように構成されてもよい。
【００９０】
ネットワークノード１１０は、第１の無線デバイス１２０による第２の無線デバイス１２２への同期信号の送信に、キャリアすなわち単一キャリアあるいは１つまたは複数のアグリゲートされたキャリアを使用するべきか否かを指示する信号またはメッセージを、第１の無線デバイス１２０に送信するように設定されている。
【００９１】
したがって、ネットワークノード１１０は、第１の無線デバイス１２０に、第２の無線デバイス１２２に同期信号を送信するためにキャリアを使用するべきか否かを指示するメッセージを送信するように設定され得る。
【００９２】
いくつかの実施形態では、ネットワークノード１１０は、アグリゲートされたキャリアからの複数のキャリアを、第２の無線デバイス１２２に同期信号を送信するために第１の無線デバイス１２０によって使用するべきか否かを指示するメッセージを送信するように設定されている。
【００９３】
当業者なら、前述のネットワークノード１１０におけるユニットは、アナログ回路とデジタル回路の組合せ、ならびに／あるいはたとえばネットワークノード１１０に記憶されたソフトウェアおよび／またはファームウェアを用いて設定された１つまたは複数のプロセッサを指し得ることも理解するであろう。ソフトウェアおよび／またはファームウェアは、後述のプロセッサなどそれぞれの１つまたは複数のプロセッサによって実行されたとき。これらのプロセッサのうちの１つまたは複数、ならびに他のデジタルハードウェアは、単一の特定用途向け集積回路（ＡＳＩＣ）に含まれてよく、あるいは、いくつかのプロセッサおよび様々なデジタルハードウェアが、個々にパッケージ化されるかまたはシステムオンチップ（ＳｏＣ）へと組み立てられて、いくつかの別個の構成要素の間に分配されてもよい。
【００９４】
ネットワークノード１１０は、第１の無線デバイス１２０および第２の無線デバイス１２２と通信するように設定された入出力インターフェース６０３を備え得る。入出力インターフェースは、無線受信器（図示せず）および無線送信器（図示せず）を備え得る。
【００９５】
本明細書の実施形態は、本明細書の実施形態の機能およびアクションを遂行するためのそれぞれのコンピュータプログラムコードとともに、図６に表現されたネットワークノード１１０における処理サーキットリのプロセッサ６０４などそれぞれのプロセッサまたは１つまたは複数のプロセッサによって実施され得るものである。前述のプログラムコードは、たとえばネットワークノード１１０にロードされたとき本明細書の実施形態を遂行するためのコンピュータプログラムコードを担持するデータキャリアの形態のコンピュータプログラム製品として提供され得る。そのようなキャリアの１つはＣＤ  ＲＯＭディスクの形態でよい。しかしながら、そのようなキャリアはメモリスティックなど他のデータキャリアで実現可能である。コンピュータプログラムコードは、さらに、サーバ上の純粋なプログラムコードとして提供され、ネットワークノード１１０にダウンロードされ得る。
【００９６】
ネットワークノード１１０は、１つまたは複数のメモリユニットを備えた記憶装置６０５をさらに備え得る。記憶装置はネットワークノード１１０のプロセッサによって実行可能な命令を含む。
【００９７】
記憶装置は、たとえばデータと、設定と、ネットワークノード１１０において実行されたとき本明細書の方法を遂行するアプリケーションとを記憶するために使用されるように構成されている。
【００９８】
いくつかの実施形態では、それぞれのコンピュータプログラム６０６が含む命令がそれぞれの少なくとも１つのプロセッサによって実行されたとき、ネットワークノード１１０の少なくとも１つのプロセッサに上記のアクションを遂行させる。
【００９９】
いくつかの実施形態では、それぞれのキャリア６０７がそれぞれのコンピュータプログラムを含み、キャリアは、電子信号、光信号、電磁気信号、磁気信号、電気信号、無線信号、マイクロ波信号、またはコンピュータ可読記憶媒体のうちの１つである。前述のように、それぞれのコンピュータプログラムを含んでいるこれらそれぞれのキャリアは、第１の無線デバイス１２０から第２の無線デバイス１２２へ同期信号を送信するために使用されるキャリアと区別するために、コンピュータプログラムキャリアと称されることがある。
【０１００】
同期信号を送信するための例示のシグナリング手順
いくつかの実施形態によれば、たとえばＲＲＣパラメータまたは情報要素（ＩＥ）を含むＲＲＣメッセージといった信号またはメッセージは、無線デバイス１２０、１２２によるキャリアにおける同期信号の送信を制御する信号またはメッセージを指示するように規定されている。したがって、第１の無線デバイス１２０は、第２の無線デバイス１２２に１つまたは複数の同期信号を送信するためにこのキャリアが使用され得ることを指示するそのようなメッセージを受信したとき、指示されたキャリア上で、第２の無線デバイス１２２に１つまたは複数の同期信号を送信し得る。キャリアが同期信号を送信するために使用され得るという指示は、本開示ではキャリアが「オン」にセットされると称されることがある。キャリアが同期信号の送信に使用されるか否かは、メッセージの中で、同期信号の送信にキャリアを使用することが、許可、たとえば「オン」にセットされると指示されるか、それとも禁止と指示されるか、ということに依拠する。キャリアにおける同期信号の送信に関する指示がメッセージの中で指示されなかった場合、同期信号を送信するためのキャリアの使用は、許可されるかまたは禁止される。第１の無線デバイス１２０は、同期信号の送信に使用され得る１つまたは複数のキャリアとともに事前設定されていてよいことを理解されたい。したがって、メッセージの中で指示されて同期信号を送信するために使用されるキャリアは、事前設定された複数のキャリアからの１つでよい。さらに、メッセージは、同期信号を送信するために使用されるべき１つまたは複数のアグリゲートされたキャリアすなわち１つまたは複数のコンポーネントキャリアを指示し得る。しかしながら、アグリゲートされたキャリアの場合には、同期信号の送信は、アグリゲートされたキャリア上での同期信号の送信に関する１つまたは複数の基準が満たされているか否かに依拠し得る。そのような基準またはルールの例が以下で説明される。
【０１０１】
本明細書でＲＲＣメッセージおよびＲＲＣパラメータが参照されても、メッセージやパラメータは別のタイプのものでもよいことを理解されたい。たとえば、メッセージは、ＭＡＣ制御要素（ＭＡＣ  ＣＥ）またはＰＤＣＣＨ上のＳＬ認可であり得る。メッセージは、リリース１４のｎｅｔｗｏｒｋＣｏｎｔｒｏｌｌｅｄＳｙｎｃＴｘに類似のＲＲＣパラメータを含み得る。本開示では、そのようなＲＲＣパラメータはＣＡ同期送信（ｃａｒｒｉｅｒＡｇｇｒｅｇａｔｉｏｎＳｙｎｃＴｘ）パラメータと称されることがある。そのようなＲＲＣパラメータは、特定のキャリア上でのＳＬＳＳ送信が許可されるか否かを指示するブール型のフィールドまたは列挙された（たとえばオンまたはオフを指示する）タイプのフィールドでよい。たとえば、特定のキャリアについて、この新たに規定されたＲＲＣパラメータが設定、たとえば事前設定され、「オン」にセットされていると、そのようなＲＲＣパラメータを用いて設定された無線デバイス１２０、１２２は、この特定のキャリア上での１つまたは複数の同期信号の送信を開始し得る。したがって、無線デバイス１２０、１２２は、同期信号を送信するために使用され得るキャリアとともに設定されてよく、事前設定されていてもよい。そのような無線デバイス１２０、１２２は、たとえばネットワークノード１１０から、（事前）設定されたキャリアが「オン」にセットされていることを指示するメッセージを受信すると、事前設定されたキャリア上での同期信号の送信を開始する。前述のように、メッセージは、キャリアが同期信号の送信を許可されていることを指示する、たとえば「オン」にセットされたｃａｒｒｉｅｒＡｇｇｒｅｇａｔｉｏｎＳｙｎｃＴｘパラメータといったパラメータを含むことによって、キャリアが「オン」にセットされていることを指示してよく、または、キャリアが同期信号の送信を禁止されていることを指示する、「オン」にセットされたｓｌｓｓ−Ｄｉｓａｂｌｅｄパラメータを含んでもよい。無線デバイス１２０、１２２は、同期信号の送信に使用され得る複数のキャリアとともに（事前に）設定されていてよいことを理解されたい。そのような無線デバイス１２０、１２２は、たとえばネットワークノード１１０から、複数のキャリアのうちの１つまたは複数が「オン」にセットされていることを指示するメッセージを受信すると、この１つまたは複数のキャリア上で同期信号の送信を開始する。
【０１０２】
その上、たとえばｃａｒｒｉｅｒＡｇｇｒｅｇａｔｉｏｎＳｙｎｃＴｘパラメータといった新たに規定された信号またはメッセージが設定されている場合には、キャリア上での１つまたは複数の同期信号の送信を制御するために、追加の基準、条件またはルールが指定される。この基準またはルールによれば、ｃａｒｒｉｅｒＡｇｇｒｅｇａｔｉｏｎＳｙｎｃＴｘパラメータが特定のキャリア向けに設定され、「オン」にセットされているが、ＵＥがＣＡ送信モードで動作している場合でも、無線デバイスの送信能力を超えていれば、このキャリア上での同期信号の送信は開始されなくてよい。たとえば、これは、無線デバイスが、キャリアの特定の組合せをサポートしない場合、または無線周波数（ＲＦ）能力に制限がある場合などであり得る。その上、ｃａｒｒｉｅｒＡｇｇｒｅｇａｔｉｏｎＳｙｎｃＴｘパラメータが特定のキャリア向けに設定され、「オン」にセットされているが、無線デバイス１２０、１２２が非ＣＡ送信モードで動作している場合には、常に、この特定のキャリア上での同期信号の送信が開始されることになる。
【０１０３】
いくつかの実施形態では、ｃａｒｒｉｅｒＡｇｇｒｅｇａｔｉｏｎＳｙｎｃＴｘパラメータの使用は、無線デバイス１２０、１２２の現在の設定および／または挙動に依拠する。たとえば、ある時点において、無線デバイス１２０、１２２がある特定のキャリアをアグリゲートしている場合には、これらのアグリゲートされたキャリアのうち１つにおけるＳＬＳＳの送信はｃａｒｒｉｅｒＡｇｇｒｅｇａｔｉｏｎＳｙｎｃＴｘを使用する。言い換えれば、たとえばキャリアＡがキャリアＢとともにアグリゲーションを用いて使用される場合には、ＳＬＳＳが（キャリアＡで）送信されるか否かは、キャリアＡに関するｃａｒｒｉｅｒＡｇｇｒｅｇａｔｉｏｎＳｙｎｃＴｘパラメータが「オン」にセットされているか否かに依拠する。ある他の時点において、無線デバイス１２０、１２２がアグリゲーションなしのキャリアを使用している場合には、ＳＬＳＳの送信はｃａｒｒｉｅｒＡｇｇｒｅｇａｔｉｏｎＳｙｎｃＴｘを使用しない（代わりに他の信号および手順に依存する）。
【０１０４】
いくつかの実施形態では、（事前）設定により、ある特定のＶ２Ｘサービスを提供し得るキャリアの中で少なくとも１つのキャリアに関して、ｃａｒｒｉｅｒＡｇｇｒｅｇａｔｉｏｎＳｙｎｃＴｘパラメータが「オン」にセットされている。たとえば、第１のキャリアと第２のキャリアのどちらもＶ２Ｘサービスを提供し得ると想定すると、この周波数のうちの少なくとも１つが、「オン」にセットされたｃａｒｒｉｅｒＡｇｇｒｅｇａｔｉｏｎＳｙｎｃＴｘを用いて（事前）設定されている。これによって、そのようなサービスに関連した少なくとも１つのキャリアに関して、（ＲＳＲＰ閾値が設定されている場合）ＲＳＲＰがこのキャリアに関するある特定の閾値未満である限り、無線デバイス１２０、１２２が、このキャリアでＳＬＳＳを送信することが保証される。
【０１０５】
いくつかの実施形態では、（事前）設定により、ある特定のＶ２Ｘサービスを提供し得るＸのキャリアの中で２つ以上のキャリアに関して、ｃａｒｒｉｅｒＡｇｇｒｅｇａｔｉｏｎＳｙｎｃＴｘが「オン」にセットされている。しかしながら、（事前）設定は、複数のキャリアにおけるＳＬＳＳの送信が制限されることも指示し得る。たとえば、設定は、ＳＬＳＳが、多くてもＹ（Ｙ＜Ｘ）のキャリアで送信されるべきであることを指示する可能性がある。
【０１０６】
いくつかの実施形態では、（事前）設定により、パラメータｃａｒｒｉｅｒＡｇｇｒｅｇａｔｉｏｎＳｙｎｃＴｘが１つのサービスごとに「オン」にセットされる。たとえば、パラメータｃａｒｒｉｅｒＡｇｇｒｅｇａｔｉｏｎＳｙｎｃＴｘは、ある特定のサービスＩＤまたは宛先ＩＤに関連づけられてよい。そのような場合には、ｃａｒｒｉｅｒＡｇｇｒｅｇａｔｉｏｎＳｙｎｃＴｘは、ある特定のサービスＩＤおよび／または宛先ＩＤ向けに設定されて「オン」にセットされている。ＳＬＳＳの送信のために、そのようなサービスＩＤおよび／または宛先ＩＤに関連した１つまたは複数のキャリアを選択することは、無線デバイス１２０、１２２の責務である。無線デバイス１２０、１２２は、たとえば以下で説明される方法のいずれかに従って、Ｘのキャリアからどれが選択され得るかを判定してよい。その上、たとえばＧＮＳＳ同期が必要なサービスまたは他の無線デバイスのＳＬＳＳによって同期が取得されるべきではないサービスといったいくつかのサービスについては、ｃａｒｒｉｅｒＡｇｇｒｅｇａｔｉｏｎＳｙｎｃＴｘは一切設定されない。
【０１０７】
いくつかの実施形態では、ｃａｒｒｉｅｒＡｇｇｒｅｇａｔｉｏｎＳｙｎｃＴｘは、キャリアの組合せごとにセットされる。たとえばある特定のサービスのために使用され得るキャリアの何らかの組合せといったキャリアの何らかの組合せに関して、設定が、ＳＬＳＳ送信のために使用され得る所与の組合せにおけるキャリア（複数可）を指示し、ルールを適用するための関係するパラメータは以下で説明される。
【０１０８】
上記の手順を遂行することにより、無線デバイス１２０と１２２は、（事前）設定された送信モードすなわちＣＡモードまたは非ＣＡモード、ならびに／あるいは（事前）設定されたサービスおよび／またはこのサービスのＵＥ送信能力（すなわち、不十分な送信電力、ＴＸチェーンの制限など）のいずれかに依拠して、キャリア上で、異なる同期挙動を遂行する。
【０１０９】
同期信号を送信するための例示のルール
この段落では、キャリア上でのたとえばＳＬＳＳ／ＰＳＢＣＨといった同期信号の送信を判定するために、たとえば基準といった１つまたは複数のルールが規定される。たとえば基準といったそのようなルールは、キャリアがいくつかの実施形態によって同期キャリアとして（事前）設定されているが、ＵＥ能力の制限のため、またリソース割り当ての制限のために、無線デバイス１２０、１２２が（事前）設定されたすべての同期キャリア上で送信することができるとは限らない場合に適用される。
【０１１０】
いくつかの実施形態によれば、同期信号が送信されるキャリアを裁定するため、またＣＡおよび／またはＵＥ  Ｔｘ能力が制限されている場合に同期信号が送信されないキャリアを裁定するために、１つまたは複数の基準またはルールが規定される。
【０１１１】
たとえば、ｅＮＢ参照セル信号を用いて最高の同期基準として（事前）設定されたキャリアがあれば、このキャリア上で同期信号が送信されてよい。
【０１１２】
いくつかのサブ実施形態によれば、ＧＮＳＳを用いて最高の同期基準として（事前）設定されたキャリアがあれば、同期信号はこのキャリア上で送信されてよく、あるいはこのキャリア上のＰＳＢＣＨはＴＤＤ設定情報（すなわちＵＬ／ＤＬ比）も搬送する。
【０１１３】
いくつかの実施形態によれば、同期信号を送信するキャリアの優先順位が規定される。たとえば、最高の同期基準としてのｅＮＢ参照セル信号を有するキャリアは、ＳＬＳＳ送信に関する最高の優先順位がある。他のキャリア上のＳＬＳＳ送信は落とされ、すなわち無線デバイス１２０、１２２の送信（ＴＸ）能力が、たとえば送信電力が不十分であるために制限される場合には、送信されない。
【０１１４】
いくつかの実施形態では、いくつかの以前に説明された実施形態に関してＳＬＳＳ送信のために選択されるキャリアは、ＵＥ能力、ＵＥ動作、およびＳＬＳＳリソース配分に基づいて選択される。たとえば、ＳＬＳＳリソースが、同一の送信時間間隔（ＴＴＩ）内に設定されているか、または異なるキャリアにわたって時間的に接近して設定されている場合には、無線デバイス１２０、１２２は、そのようなキャリアでＳＬＳＳを送信することができない可能性がある。したがって、無線デバイス１２０、１２２にとって送信可能なキャリアのみを含むキャリアが選択されることになる。その上、キャリアは、システムフレーム番号（ＳＦＮ）０（または直接フレーム番号（ＤＦＮ）０）に対して、またはＳＬＳＳを送信するある特定の条件が満たされた瞬間に対して、時間的に先頭のキャリアに基づいて選択されてよい。
【０１１５】
いくつかの実施形態によれば、本明細書ではＳＬＳＳ送信とも称される同期信号は、データ送信用に選択されたキャリア（複数可）、または送信されるパケットがある特定の閾値よりも高い優先度を有するキャリア上で送信される。キャリアが１つだけ選択される場合には、無線デバイス１２０、１２２は最優先パケットを送信するキャリアを選択する。ＳＬＳＳ送信の機会がデータ送信と時間的に合致しない場合には、無線デバイス１２０、１２２は、時間的に最後のデータ、またはある特定の閾値よりも高い優先度を有する時間的に最後のデータを送信するキャリア（複数可）を優先させてよい。
【０１１６】
たとえば、無線デバイス１２０、１２２は、第１の時点Ｔ１においてキャリア１上で送信し、第２の時点Ｔ２においてキャリア２上で送信し、第３の時点Ｔ３においてキャリア３上で送信した場合には、第４の時点Ｔ４においてＳＬＳＳを送信する必要があり、キャリア３上でのＳＬＳＳの送信を優先させる。
【０１１７】
いくつかの実施形態では、同期信号は、測定されたＲＳＲＰが、ある特定の閾値やそのようなセットの中にない他のキャリアのものよりも低いキャリアのセットに対応するキャリア（複数可）上で、送信される。
【０１１８】
いくつかの実施形態では、キャリア上の輻輳が考慮に入れられ、すなわち、ＳＬＳＳは、より低いチャネルビジー率（ＣＢＲ）（たとえば、ある特定のＣＢＲ閾値よりも低いＣＢＲ）輻輳のキャリアでのみ送信される。いくつかの実施形態では、受信信号強度指示（ＲＳＳＩ）が考慮に入れられる。
【０１１９】
いくつかの実施形態によれば、無線デバイス１２０と１２２は、それぞれが別々の送信モードを使用する別々のサービスを用いて動作してよい。たとえば、第１のサービス１は非ＣＡ送信モードのみを用いて（事前）設定されており、第２のサービス２はＣＡ送信モードを用いて（事前）設定されている。そのようなシナリオでは、無線デバイス１２０、１２２は、常に、非ＣＡ送信／サービスがオンに設定されているキャリア上で同期信号を送信するか、または同期信号の送信を優先させ、すなわち、同期信号は、少なくとも、ＳＬ  Ｖ２Ｘ通信用に使用されるキャリア（ＣＡ動作用に設定されておらず、設定（たとえばｃａｒｒｉｅｒＡｇｇｒｅｇａｔｉｏｎＳｙｎｃＴｘが「オン」にセットされ、ＲＳＲＰがある特定の閾値未満である）によってＳＬＳＳ送信信号の送信が許可されたキャリア）上で送信されることになる。以下の例を検討する。
・サービス１がキャリア１およびキャリア２にマッピングされ、ＣＡが許可されている
・サービス２がキャリア２およびキャリア３にマッピングされ、ＣＡが許可されていない
【０１２０】
第１の無線デバイス１２０は、サービス１のために、第２の無線デバイス１２２とのＶ２Ｘ  ＳＬ通信を遂行する必要があり、第１の無線デバイス１２０は、たとえば能力限界のため、または設定のせいで、または以前の実施形態で開示されたルールが許容しないためのいずれかのため、キャリア１とキャリア２のどちらにおいてもＳＬＳＳ送信を遂行することができないと想定する。そのような場合には、サービス１およびサービス２のＶ２Ｘ  ＳＬ通信を遂行する無線デバイス１２０と１２２の間でキャリア２が共用されるので、第１の無線デバイス１２０はキャリア２におけるＳＬＳＳ送信を優先させる。
【０１２１】
いくつかの実施形態では、１つのサービスのＶ２Ｘ  ＳＬ通信用に設定されたキャリアのセットが、別のサービスのＶ２Ｘ  ＳＬ通信用に設定されたキャリアのセットとオーバラップすることを考慮に入れて、無線デバイス１２０、１２２は、（事前）設定および他のルール（たとえば以前に説明されたルール）が許す限り、オーバラップするセットの一部分であるキャリアにおけるＳＬＳＳ送信を優先させる。
【０１２２】
前述のように、無線デバイス１２０、１２２は、複数のキャリア上での同期信号の同時送信を裁定する一方で、送信電力の制限と半二重との２つの問題を最小化しなければならない。上記の実施形態は、単一の（または少数の）キャリア上での同期信号の送信を制限するためのシグナリングの手順およびルールを説明するものである。その上、半二重と送信電力の制限とを最小化するために、同期信号送信用のサブフレームを選択するためのルールを規定する一実施形態が説明されている。いくつかの実施形態によれば、電力制限問題を緩和するために、同期基準としてｅＮＢを用いるキャリアと、同期キャリアとしてのＧＮＳＳを用いるキャリアとに関して、同期信号送信用に選択されるサブフレームが異なったものになる。
【０１２３】
なお、前述の実施形態を組み合わせることも可能であり得る。たとえば、無線デバイス１２０、１２２は、送信サブフレームが異なる場合には、同期ソースとしてｅＮＢを用いるキャリア上と、同期ソースとしてＧＮＳＳを用いるキャリア上とで、複数の同期信号を送信してよい。
【０１２４】
さらなる拡張および変形形態
図７を参照して、一実施形態によれば、通信システムが含む、たとえば３ＧＰＰタイプセルラーネットワークなどのＷＬＡＮといった無線通信ネットワーク１００などの電気通信ネットワーク３２１０は、無線アクセスネットワークなどのアクセスネットワーク３２１１およびコアネットワーク３２１４を含む。アクセスネットワーク３２１１には、ネットワークノード１１０、１３０など複数の基地局３２１２ａ、３２１２ｂ、３２１２ｃ、アクセスノード、ＡＰ  ＳＴＡ  ＮＢ、ｅＮＢ、ｇＮＢ、または他のタイプの無線アクセスポイント３２１３ａ、３２１３ｂ、３２１３ｃが備わっており、それぞれが、対応するカバレッジエリアを規定する。各基地局３２１２ａ、３２１２ｂ、３２１２ｃは、有線または無線の接続３２１５を通じてコアネットワーク３２１４に接続可能である。たとえばカバレッジエリア３２１３ｃに配置された非ＡＰ  ＳＴＡ  ３２９１などの無線デバイス１２０といった第１のユーザ機器（ＵＥ）は、対応する基地局３２１２ｃに無線で接続するか、または基地局３２１２ｃによってページングされるように設定される。たとえばカバレッジエリア３２１３ａにおける非ＡＰ  ＳＴＡなどの無線デバイス１２２といった第２のＵＥ３２９２は、対応する基地局３２１２ａに対して無線で接続可能である。この例では複数のＵＥ３２９１、３２９２が図示されているが、開示された実施形態は、カバレッジエリアにＵＥが単独である状況や、単独のＵＥが対応する基地局３２１２に接続されている状況にも同様に適用可能である。
【０１２５】
電気通信ネットワーク３２１０自体がホストコンピュータ３２３０に接続されており、このことは、ハードウェアおよび／またはスタンドアロンのサーバ、クラウドで実施されたサーバ、分散型サーバのソフトウェア、もしくはサーバファームにおける処理リソースとして具現され得る。ホストコンピュータ３２３０は、サービスプロバイダに所有されるかもしくは制御されてよく、またはサービスプロバイダによって、もしくはサービスプロバイダのために運営されてよい。電気通信ネットワーク３２１０とホストコンピュータ３２３０との間の接続３２２１、３２２２は、コアネットワーク３２１４からホストコンピュータ３２３０に直接届いてよく、または任意選択の中間ネットワーク３２２０を介してもよい。中間ネットワーク３２２０は、パブリックネットワーク、プライベートネットワーク、ホスティングされたネットワークのうちの１つでよく、または２つ以上の組合せでもよく、存在する場合には、バックボーンネットワークまたはインターネットでよく、詳細には、２つ以上のサブネットワーク（図示せず）を備え得る。
【０１２６】
全体としての図７の通信システムは、接続されたＵＥ３２９１、３２９２のうちの１つとホストコンピュータ３２３０との間の接続を可能にする。接続はオーバーザトップ（ＯＴＴ）接続３２５０として説明され得る。ホストコンピュータ３２３０および接続されたＵＥ３２９１、３２９２は、仲介物としてアクセスネットワーク３２１１、コアネットワーク３２１４、任意の中間ネットワーク３２２０および可能なさらなるインフラストラクチュア（図示せず）を使用して、ＯＴＴ接続３２５０を通じてデータおよび／またはシグナリングと通信するように設定されている。ＯＴＴ接続３２５０は、ＯＴＴ接続３２５０を通して関与する通信デバイスがアップリンク通信やダウンリンク通信のルーティングを認識しないという意味で透過的であり得る。たとえば、基地局３２１２は、接続されたＵＥ３２９１に転送される（たとえばハンドオーバされる）、ホストコンピュータ３２３０由来のデータを伴う入来ダウンリンク通信の過去のルーティングに関して通知されなくてよく、通知される必要もない。同様に、基地局３２１２は、ＵＥ３２９１由来の出力の、ホストコンピュータ３２３０へのアップリンク通信の将来のルーティングを認識する必要はない。
【０１２７】
次に、前節において論じられた一実施形態によるＵＥ、基地局、およびホストコンピュータの例示の実装形態が、図８を参照しながら説明される。通信システム３３００において、ホストコンピュータ３３１０が備えるハードウェア３３１５に含まれる通信インターフェース３３１６は、通信システム３３００の異なる通信デバイスのインターフェースとの有線または無線の接続をセットアップして維持するように設定されている。ホストコンピュータ３３１０がさらに備える処理サーキットリ３３１８は、記憶能力および／または処理能力を有し得る。詳細には、処理サーキットリ３３１８は、命令を実行するように適合された１つまたは複数のプログラマブルプロセッサ、特定用途向け集積回路、フィールドプログラマブルゲートアレイまたはこれらの組合せ（図示せず）を備え得る。ホストコンピュータ３３１０がさらに含むソフトウェア３３１１は、ホストコンピュータ３３１０による記憶またはアクセスが可能であり、処理サーキットリ３３１８によって実行可能である。ソフトウェア３３１１はホストアプリケーション３３１２を含む。ホストアプリケーション３３１２は、ＵＥ３３３０およびホストコンピュータ３３１０において終結するＯＴＴ接続３３５０を介して接続するＵＥ３３３０などの遠隔ユーザにサービスを提供するように動作可能であり得る。遠隔ユーザにサービスを提供する際に、ホストアプリケーション３３１２は、ＯＴＴ接続３３５０を使用して送信されるユーザデータを供給してよい。
【０１２８】
通信システム３３００がさらに備える基地局３３２０は、電気通信システムに用意され、ホストコンピュータ３３１０およびＵＥ３３３０との通信を可能にするハードウェア３３２５を備える。ハードウェア３３２５は、通信システム３３００の異なる通信デバイスのインターフェースとの有線または無線の接続をセットアップして維持するための通信インターフェース３３２６、ならびに、少なくとも基地局３３２０によってサーブされたカバレッジエリア（図１９には示されていない）にあるＵＥ３３３０との無線接続３３７０をセットアップして維持するための無線インターフェース３３２７を含み得る。通信インターフェース３３２６は、ホストコンピュータ３３１０に対する接続３３６０を容易にするように設定されてよい。接続３３６０は直接的でよく、あるいは、電気通信システムのコアネットワーク（図１９には示されていない）および／または電気通信システムの外部の１つまたは複数の中間のネットワークを介してもよい。示された実施形態では、基地局３３２０のハードウェア３３２５がさらに含む処理サーキットリ３３２８は、命令を実行するように適合された、１つまたは複数のプログラマブルプロセッサ、特定用途向け集積回路、フィールドプログラマブルゲートアレイまたはこれらの組合せ（図示せず）を備え得る。基地局３３２０がさらに有するソフトウェア３３２１は、内部に記憶されるかまたは外部接続を介してアクセスされ得る。
【０１２９】
通信システム３３００は、既に言及されたＵＥ３３３０をさらに備える。ＵＥ３３３０のハードウェア３３３５が含み得る無線インターフェース３３３７は、ＵＥ３３３０が今のところ位置するカバレッジエリアをサーブしている基地局との無線接続３３７０をセットアップして維持するように設定されている。ＵＥ３３３０のハードウェア３３３５がさらに含む処理サーキットリ３３３８は、命令を実行するように適合された１つまたは複数のプログラマブルプロセッサ、特定用途向け集積回路、フィールドプログラマブルゲートアレイまたはこれらの組合せ（図示せず）を備え得る。ＵＥ３３３０がさらに含むソフトウェア３３３１は、ＵＥ３３３０による記憶またはアクセスが可能であり、処理サーキットリ３３３８によって実行可能である。ソフトウェア３３３１はクライアントアプリケーション３３３２を含む。クライアントアプリケーション３３３２は、ホストコンピュータ３３１０の支援の下に、ＵＥ３３３０を介して、人間または人間以外のユーザにサービスを提供するように動作可能であり得る。ホストコンピュータ３３１０において実行中のホストアプリケーション３３１２は、ＵＥ３３３０およびホストコンピュータ３３１０において終結するＯＴＴ接続３３５０を介して、実行中のクライアントアプリケーション３３３２と通信し得る。クライアントアプリケーション３３３２は、ユーザにサービスを提供する際に、ホストアプリケーション３３１２から要求データを受信し、要求データに応答してユーザデータを供給してよい。ＯＴＴ接続３３５０は、要求データとユーザデータの両方を転送し得る。クライアントアプリケーション３３３２は、ユーザと相互作用して、供給するユーザデータを生成し得る。
【０１３０】
図８に図示されたホストコンピュータ３３１０、基地局３３２０およびＵＥ３３３０は、それぞれ図７のホストコンピュータ３２３０、基地局３２１２ａ、３２１２ｂ、３２１２ｃのうちの１つ、およびＵＥ３２９１、３２９２のうちの１つと同一でよいことが注意される。つまり、これらのエンティティの内部作用は図８に示された通りでよく、独立して、周囲のネットワークトポロジは図７のものでよい。
【０１３１】
図８において、ＯＴＴ接続３３５０は、基地局３３２０を介したホストコンピュータ３３１０とユーザ機器３３３０との間の通信を、いかなる中間デバイスも、これらのデバイスを介したメッセージの正確なルーティングも、明示的に参照することなく抽象的に図示するものである。ネットワークインフラストラクチャは、ネットワークインフラストラクチャの設定が、ＵＥ３３３０、またはホストコンピュータ３３１０を運営するサービスプロバイダ、または両方から隠すように設定され得るルーティングを判定してよい。ＯＴＴ接続３３５０がアクティブである間に、ネットワークインフラストラクチャは（たとえばネットワークのロードバランシングの検討または再設定を基に）ルーティングを動的に変更することをさらに裁定してよい。
【０１３２】
ＵＥ３３３０と基地局３３２０との間の無線接続３３７０は、本開示の全体にわたって説明された実施形態の教示によるものである。様々な実施形態のうちの１つまたは複数が、最後のセグメントが無線接続３３７０で形成されているＯＴＴ接続３３５０を使用してＵＥ３３３０に提供されるＯＴＴサービスの性能を改善する。より正確には、これらの実施形態の教示は、同期を改善することにより、バッテリ寿命の延長などの利益を提供するものである。
【０１３３】
データレート、レイテンシならびに１つまたは複数の実施形態が改善する他の要因を監視するための測定手順が提供され得る。測定結果の変化に応答してホストコンピュータ３３１０とＵＥ３３３０との間のＯＴＴ接続３３５０を再設定するための任意選択のネットワーク機能がさらにあってよい。ＯＴＴ接続３３５０を再設定するための測定手順および／またはネットワーク機能は、ホストコンピュータ３３１０のソフトウェア３３３１、またはＵＥ３３３０のソフトウェア３３１１、または両方で実施されてよい。実施形態では、センサ（図示せず）が、ＯＴＴ接続３３５０を通す通信デバイスの中に、または同デバイスに関連して配備されてよく、センサは、上記の例の監視された量の値または他の物理量の値を供給することによって測定手順に関与してよく、ソフトウェア３３１１、３３３１は、これらの値から、監視された量を計算するかまたは推定してよい。ＯＴＴ接続３３５０の再設定は、メッセージフォーマット、再送信セッティング、望ましいルーティングなどを含み得、再設定は、基地局３３２０に影響を及ぼす必要はなく、基地局３３２０が分からない、または感知できないものでよい。そのような手順および機能性は、当技術において既知の実施され得るものである。ある特定の実施形態では、測定は専用のＵＥシグナリングを包含し得、ホストコンピュータ３３１０の測定のスループット、伝播時間、レイテンシなどを容易にする。実施され得る測定では、ソフトウェア３３１１、３３３１が、伝播時間、エラーなどを監視しながら、ＯＴＴ接続３３５０を使用して、メッセージ、詳細には空すなわち「ダミー」のメッセージを送信する。
【０１３４】
図７および図８ならびに対応する本文は、無線関連の発明の下流の態様に関係したものであり、図９および図１０ならびに対応する本文は上流の態様について論じている。
【０１３５】
図９は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図７および図８を参照しながら説明されたものでよい。本開示の簡単さのために、この段落で参照されるのは図９のみである。この方法の第１のアクション３４１０において、ホストコンピュータはユーザデータを供給する。第１のアクション３４１０の任意選択のサブアクション３４１１において、ホストコンピュータは、ホストアプリケーションを実行することによってユーザデータを供給する。第２のアクション３４２０において、ホストコンピュータは、ユーザデータをＵＥに搬送する送信を開始する。本開示の全体にわたって説明された実施形態の教示により、任意選択の第３のアクション３４３０において、基地局は、ホストコンピュータが開始した送信において搬送されたユーザデータをＵＥに送信する。任意選択の第４のアクション３４４０において、ＵＥは、ホストコンピュータによって実行されるホストアプリケーションに関連したクライアントアプリケーションを実行する。
【０１３６】
図１０は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図７および図８を参照しながら説明されたものでよい。本開示の簡単さのために、この段落で参照されるのは図１０のみである。この方法の第１のアクション３５１０において、ホストコンピュータはユーザデータを供給する。任意選択のサブアクション（図示せず）において、ホストコンピュータは、ホストアプリケーションを実行することによってユーザデータを供給する。第２のアクション３５２０において、ホストコンピュータは、ユーザデータをＵＥに搬送する送信を開始する。送信は、本開示を通じて説明された実施形態の教示により、基地局を介したものでよい。任意選択の第３のアクション３５３０において、ＵＥは、送信で搬送されたユーザデータを受信する。
【０１３７】
図１１は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図７および図８を参照しながら説明されたものでよい。本開示の簡単さのために、この段落で参照されるのは図１１のみである。この方法の任意選択の第１のアクション３６１０において、ＵＥは、ホストコンピュータによって供給された入力データを受信する。それに加えて、またはその代わりに、ＵＥは、任意選択の第２のアクション３６２０においてユーザデータを供給する。第２のアクション３６２０の任意選択のサブアクション３６２１において、ＵＥは、クライアントアプリケーションを実行することによってユーザデータを供給する。第１のアクション３６１０のさらなる任意選択のサブアクション３６１１において、ＵＥは、ホストコンピュータによって供給された受信入力データに反応してユーザデータを供給するクライアントアプリケーションを実行する。実行されるクライアントアプリケーションは、ユーザデータを供給するとき、ユーザから受け取ったユーザ入力をさらに考慮に入れてよい。ユーザデータが供給された特定のやり方に関係なく、ＵＥは、任意選択の第３のサブアクション３６３０において、ホストコンピュータへのユーザデータの送信を開始する。この方法の第４のアクション３６４０において、本開示の全体にわたって説明された実施形態の教示により、ホストコンピュータはＵＥから送信されたユーザデータを受信する。
【０１３８】
図１２は、一実施形態による、通信システムにおいて実施される方法を図示する流れ図である。通信システムは、ホストコンピュータ、ＡＰ  ＳＴＡなどの基地局、および非ＡＰ  ＳＴＡなどのＵＥを含み、これらは図７および図８を参照しながら説明されたものでよい。本開示の簡単さのために、この段落で参照されるのは図１２のみである。この方法の任意選択の第１のアクション３７１０において、本開示の全体にわたって説明された実施形態の教示により、基地局はＵＥからユーザデータを受信する。任意選択の第２のアクション３７２０において、基地局は、受信したユーザデータのホストコンピュータへの送信を開始する。第３のアクション３７３０において、ホストコンピュータは、基地局が開始した送信で搬送されたユーザデータを受信する。
【０１３９】
「備える」または「備えている」という語を使用するとき、非限定的に解釈されるものとし、すなわち「少なくとも〜から成る」を意味する。
【０１４０】
本明細書の実施形態は、前述の望ましい実施形態に限定されない。様々な代替形態、修正形態および均等物が使用され得る。
【符号の説明】
【０１４１】
省略形  説明
ＣＡ  キャリアアグリゲーション
ＣＢＲ  チャネルビジー率
ＤＦＮ  直接フレーム番号
ＤＬ  ダウンリンク
ＦＤＤ  周波数分割複信
ＧＮＳＳ  地球航法衛星システム
ＩＥ  情報要素
ＭＩＢ  マスタ情報ブロック
ＲＲＣ  無線リソース制御
ＲＳＲＰ  参照信号受信電力
ＲＳＳＩ  受信信号強度インジケータ
ＲＸ  受信、受信機
ＳＦＮ  システムフレーム番号
ＳＬ  サイドリンク
ＳＬＳＳ  サイドリンク同期信号
ＴＤＤ  時分割複信
ＴＸ  送信、送信機
ＵＥ  ユーザ機器
ＵＬ  アップリンク
【図１】
2021519550.tif 000003
【図２】
2021519550.tif 000004
【図３】
2021519550.tif 000005
【図４】
2021519550.tif 000006
【図５】
2021519550.tif 000007
【図６】
2021519550.tif 000008
【図７】
2021519550.tif 000009
【図８】
2021519550.tif 000010
【図９】
2021519550.tif 000011
【図１０】
2021519550.tif 000012
【図１１】
2021519550.tif 000013
【図１２】
2021519550.tif 000014
【国際調査報告】
2021519550.tif 000015
2021519550.tif 000016